(57)【特許請求の範囲】
【請求項１】
マグネットシートからなるパーツＡ（２）に任意の形状の枠部（２ａ）を設け、該枠部（２ａ）の内側に任意の形状の磁着挟持部（２ｂ）を舌片状に連設し、該枠部（２ａ）において磁着挟持部（２ｂ）の先端部分と対向する位置の一部を任意の形状に切除することにより台座受け部（２ｃ）を形成し、マグネットシートからなるパーツＢ（３）にパーツＡ（２）の枠部（２ａ）から切除した形状と同形もしくはその一部を切除した形状の台座部（３ａ）を設け、該台座部（３ａ）を台座受け部（２ｃ）にはめ込んだ際に磁着挟持部（２ｂ）の方向へ突出する突出片（３ｂ）を台座部（３ａ）に延設し、以上のようなパーツＡ（２）とパーツＢ（３）で構成され、パーツＡ（２）の台座受け部（２ｃ）にパーツＢ（３）の台座部（３ａ）をはめ込むと同時に、磁着挟持部（２ｂ）の先端部分とスチール面（４）等の間に突出片（３ｂ）が介在する状態でスチール面（４）等に磁着させることによって、該磁着挟持部（２ｂ）が撓曲して磁着し、このときに該磁着挟持部（２ｂ）の先端部分と突出片（３ｂ）の間に生じる隙間が紙片（６）等の挿入口（５）となることを特徴とするメモクリップ。
【請求項２】
マグネットシートの表面に合成樹脂フィルムや紙等を貼着し、該合成樹脂フィルムや紙等に、イラスト（７）やロゴ・マーク（８）をはじめとする絵柄を印刷したことを特徴する請求項１記載のメモクリップ。
【請求項３】
１枚のマグネットシート中にパーツＡ（２）とパーツＢ（３）を配置し、それらの輪郭（２ｄ、３ｃ）をビク抜き加工して形成したことを特徴とする請求項１および請求項２記載のメモクリップ。
【請求項４】
パーツＡ（２）の台座受け部（２ｃ）にパーツＢ（３）の台座部（３ａ）をはめ込んだ状態で、それらが分離しないよう着磁面に粘着テープ（１０）などを貼着することによりパーツＡ（２）とパーツＢ（３）を一体化した請求項１および請求項２記載のメモクリップ。
【発明の詳細な説明】
【技術分野】
【０００１】  本発明は、メモ用紙をはじめとする紙片等をスチール面に止着するために用いるマグネットシートからなるメモクリップに関するものであり、特に、スチール面に磁着させたまま用い、磁着挟持部とスチール面との間に紙片等を介在して磁着挟持する際に、紙片等の挿入および抜き出しが片手で容易にできるという特徴を持つものである。
【背景技術】
【０００２】  合成樹脂材に磁性粉を混入してシート状にし、これを着磁してなるマグネットシートは、薄く可撓性を有し安価なことから従来より様々な利用方法が存在するが、その一つに、メモ用紙をはじめとする紙片をスチール面に止着するための磁着具がある。
そうした磁着具は、マグネットシートの表面に合成樹脂フィルムや紙等を貼着し、そこへ様々な絵柄を印刷し、抜き型を用いて様々な形状に型抜きしたもので、とくに企業のＰＲ用品やベタ付けの景品などの用途に人気が高い。なぜならば、企業のロゴ・マークやイラストなどの図柄をオフセット印刷でフルカラー印刷できると同時に、抜き型は合成樹脂などを立体成型するための金型に比べて格段に安価であるため、自社のＰＲ用品として提供する磁着具が比較的少量の製造であっても、図柄・外形ともオリジナル性の高いデザインを安価に実現できるためである。
しかし、マグネットシートは極めて薄いことから磁着具としては使いにくく、スチール面にいったん磁着したこの磁着具を剥がすには、端部を爪で引っ掛けて持ち上げるという面倒な作業が必要とされる。
さらに、上記の磁着具を使ってスチール面に紙片等を止着する作業は両手を要する。なぜならば、片方の手で紙片を持ち、もう片方の手で磁着具を持って止着しなければならないからである。
以上のような課題を解決するため、従来より、スチール面に磁着したまま紙片の抜き差しができるように改良された磁着具やメモクリップが考案されている（特許文献１、特許文献２、特許文献３、特許文献４、特許文献５参照）。
【先行技術文献】
【特許文献】
【０００３】
【特許文献１】  登録実用新案第３０３４２０３号
【特許文献２】  特許公開２００２−２６４５７３
【特許文献３】  特許公開２００６−２２４６４３
【特許文献４】  特許公開平８−２１６５７８
【特許文献５】  特開平３−２５４９９８
【発明の概要】
【発明が解決しようとする課題】
【０００４】  特許文献１から３に示した従来技術は、マグネットシートを含むシート状の素材を主素材とし、紙片の拭き差しを片手で行うことを目的としたメモクリップだが、これらはシート状素材を型抜きするだけでは製造できない。すなわち、特許文献１の従来技術は、マグネットシートを型抜きした後に突起またはローラーを取り付ける工程やマグネットシートの先端をＲ状に成形する工程が必要であり、特許文献２の従来技術も、可撓性樹脂シートを型抜きした後に舌片の裏側先端や内側の幅方向中央部に突起を設ける工程が必要であり、特許文献３の従来技術も、マグネットシートを型抜きした後にその一端を裏側に折り曲げて本体の裏面部と接合する工程が必要である。したがって、マグネットシートを型抜きするだけの工程で製造できる磁着具に比べ、製造コストが高くなる。
一方、特許文献４に示した従来技術の磁着具は、マグネットシートを型抜きするだけの工程で製造可能であるが、これを使用するときは片方の手で紙片を持ち、もう片方の手で磁着具のつまみを持って紙片の抜き差しを行わなければならない。つまり、特許文献４の磁着具は片手で紙片の抜き差しを行うことができない構造である。【０００５】  以上、特許文献１から４は、シート状の素材を主素材としたメモクリップや磁着具の従来技術の例であるが、その一方で、合成樹脂を立体成形して製造したメモクリップも従来より各種存在する。それらの中には、特許文献５に示したような、紙片の抜き差しが片手で行えるものもあるが、合成樹脂の立体成型に要する金型が高価なため、とくに企業のＰＲ用品などに用いる場合に、企業ごとに外形デザインを変えて少量生産するニーズを安価に実現することができない。また、本体にイラストや企業のロゴ・マークなどの絵柄を印刷する際も、シルクスクリーン印刷を用いるために色数が限られるという問題点がある。【０００６】  本発明は以上の問題点を解決するためになされたものであり、マグネットシート、あるいは、表面に図柄を印刷した合成樹脂フィルムや紙を貼着したマグネットシートを型抜きするだけの工程で製造でき、紙片の抜き差しが片手でできる安価なメモクリップを提供するものである。
【課題を解決するための手段】
【０００７】  本発明によるメモクリップの構造を図において説明すると以下のようになる。
イ）マグネットシートからなるパーツＡ（２）に任意の形状の枠部（２ａ）を設け、該枠部（２ａ）の内側に任意の形状の磁着挟持部（２ｂ）を舌片状に連設する。
ロ）上記パーツＡ（２）の枠部（２ａ）において、磁着挟持部（２ｂ）の先端部分と対向する位置の一部を任意の形状に切除することにより、台座受け部（２ｃ）を形成する。
ハ）図１のように、マグネットシートからなるパーツＢ（３）に、上記の枠部（２ａ）から切除した形状と同形の台座部（３ａ）を設ける。もしくは、図５のように、該台座部（３ａ）の形状を、上記の枠部（２ａ）から切除した形状の一部を切除した形状とする。
ニ）該台座部（３ａ）を台座受け部（２ｃ）にはめ込んだ際に磁着挟持部（２ｂ）の方向へ突出する突出片（３ｂ）を台座部（３ａ）に延設する。
本発明によるメモクリップは以上のようなパーツＡ（２）とパーツＢ（３）で構成され、これを使用するときは、図２のように、パーツＡ（２）の台座受け部（２ｃ）にパーツＢ（３）の台座部（３ａ）をはめ込むと同時に、磁着挟持部（２ｂ）の先端部分とスチール面（４）の間に突出片（３ｂ）が介在する状態で、パーツＡ（２）とパーツＢ（３）をスチール面（４）に磁着させる。【０００８】  このとき、図３の断面図に示したように、磁着挟持部（２ｂ）の先端部分とスチール面（４）の間には突出片（３ｂ）が介在するが、マグネットシートは可撓性のある素材のため、磁着挟持部（２ｂ）は撓って、その基端部分から中央部分にかけてはスチール面（４）に磁着する。
一方、磁着挟持部（２ｂ）の先端部分と突出片（３ｂ）の間には隙間が生じ、この隙間が紙片（６）等の先端を滑り込ませるのに適した挿入口（５）となる。
こうしてスチール面（４）に磁着させた本発明によるメモクリップに紙片（６）等を止着するには、片手で紙片（６）等を持ち、その先端を該挿入口（５）から滑り込ませればよい。すると、該紙片（６）等の先端は磁着挟持部（２ｂ）とスチール面（４）の間を通り、磁着挟持部（２ｂ）の基端部分まで進むと止まる。このとき磁着挟持部（２ｂ）は該紙片（６）等を介してスチール面（４）に磁着しているので、該紙片（６）等から手を離しても、図４に示したように該紙片（６）等は磁着挟持部（２ｂ）とスチール面（４）の間に挟まれ、止着されているのである。【０００９】  なお、本発明によるメモクリップは、１枚のマグネットシート中にパーツＡ（２）とパーツＢ（３）を配置し、それらの輪郭（２ｄ、３ｃ）をビク抜き加工して形成してもよい。
また、図１１に示したように、本発明によるメモクリップは、マグネットシートの表面に合成樹脂フィルムや紙等（図示せず）を貼着し、該合成樹脂フィルムや紙等に、イラスト（７）やロゴ・マーク（８）をはじめとする絵柄を印刷してから型抜き形成、あるいはビク抜き加工してもよい。
さらに、本発明によるメモクリップを利用者に提供するときは、図１３に示したように、パーツＡ（２）とパーツＢ（３）を型抜き形成した後で、パーツＡ（２）の台座受け部（２ｃ）にパーツＢ（３）の台座部（３ａ）をはめ込んだ状態で、それらが分離しないよう着磁面に粘着テープ（１０）などを貼着することによりパーツＡ（２）とパーツＢ（３）を一体化して提供してもよい。そうすることにより、パーツＡ（２）とパーツＢ（３）の組み合わせ方を示す説明書や包装を省くこともできる。
【発明の効果】
【００１０】  本発明によるメモクリップは以上のような構造からなるため、スチール面（４）等に磁着させたまま使うことができ、磁着挟持部（２ｂ）とスチール面（４）との間に紙片（６）等を介在して磁着挟持する際に、紙片（６）等の挿入および抜き出しを片手で容易に行うことができる。
さらに、マグネットシートを型抜きするだけで製造できるため、合成樹脂を立体成型して製造するメモクリップに比べ、製造コストが安価である。それと同時に、枠部（２ａ）の外形が自在に設定できるので、マグネットシートの表面に合成樹脂フィルムや紙等を貼着し、該合成樹脂フィルムや紙等にフルカラー印刷したイラストなどの輪郭をメモクリップの外形とすることが可能だ。これらの理由により、多彩なデザインを少量ずつ生産したいというニーズを安価に実現することができる。
【図面の簡単な説明】
【００１１】
【図１】  本発明の第１実施例を示す平面図である。
【図２】  第１実施例のパーツＡ（２）とパーツＢ（３）を組み合わせてスチール面（４）に磁着させたときの平面図である。
【図３】  図２のＸ−Ｙ断面図である。
【図４】  本発明の第１実施例の使用状況を示す平面図である。
【図５】  本発明の第２実施例を示す平面図である。
【図６】  第２実施例のパーツＡ（２）とパーツＢ（３）を組み合わせてスチール面（４）に磁着させたときの平面図である。
【図７】  本発明の第３実施例を示す平面図である。
【図８】  第３実施例のパーツＡ（２）とパーツＢ（３）を組み合わせてスチール面（４）に磁着させたときの平面図である。
【図９】  本発明の第４実施例を示す平面図である。
【図１０】  第４実施例のパーツＡ（２）とパーツＢ（３）を組み合わせてスチール面（４）に磁着させたときの平面図である。
【図１１】  本発明の第５実施例を示す平面図である。
【図１２】  第５の実施例パーツＡ（２）とパーツＢ（３）を組み合わせてスチール面（４）に磁着させたときの平面図である。
【図１３】  本発明の第６実施例を示す背面図である。
【発明を実施するための形態】
【実施例】
【００１２】  図１から図４は本発明によるメモクリップの第１実施例を示すものである。本発明によるメモクリップのパーツＡ（２）の枠部（２ａ）は任意の形状でよいが、第１実施例では枠部（２ａ）の形状を略矩形とした。
また本発明によるメモクリップは、該枠部（２ａ）の内側に連設する磁着挟持部（２ｂ）も任意の形状でよいが、第１実施例では磁着挟持部（２ｂ）の形状を略円形とした。
さらに、本発明によるメモクリップは、台座受け部（２ｃ）を形成するために枠部（２ａ）から切除する形状も任意の形状でよいが、第１実施例では略十字形に切除しており、切除された部分は枠部（２ａ）の輪郭（２ｄ）にまで達している。
したがって、パーツＢ（３）の台座部（３ａ）の形状は、枠部（２ａ）から切除した略十字形と同じ形状、もしくは、その一部を切除した形状となるが、第１実施例では枠部から（２ａ）切除した略十字形と同じ形状とした。
この台座部（３ａ）をパーツＡ（２）の台座受け部（２ｃ）にはめ込んだ際に磁着挟持部（２ｂ）の方向へ突出する突出片（３ｂ）を台座部（３ａ）に延設するが、第１実施例ではこの突出片（３ｂ）の形状を略台形としている。【００１３】  本発明の第１実施例によるメモクリップは上記のようなパーツＡ（２）およびパーツＢ（３）からなり、このパーツＡ（２）の台座受け部（２ｃ）にパーツＢ（３）の台座部（３ａ）をジグソーパズルのようにはめ込むと同時に、磁着挟持部（２ｂ）の先端部分とスチール面（４）の間に突出片（３ｂ）が介在する状態で、パーツＡ（２）とパーツＢ（３）をスチール面（４）に磁着させて使用する。【００１４】  この時、突出片（３ｂ）の長さが長すぎると、磁着挟持部（２ｂ）がスチール面（４）に磁着しないので望ましくない。また逆に、突出片（３ｂ）の長さが短すぎると、磁着挟持部（２ｂ）の先端部分と突出片（３ｂ）の間に生じる隙間が狭くなり、紙片（６）等の先端を滑り込ませるのに充分なサイズの挿入口（５）が得られないので望ましくない。
したがって、良好な使い勝手が得られる突出片（３ｂ）の長さは、次の通りとなる。実験の結果、たとえば磁着挟持部（２ｂ）が直径３０から４０ミリメートル程度の略円形である場合、突出片（３ｂ）の長さを磁着挟持部（２ｂ）の直径の４分の１から３分の１の間に設定すると良好な使い勝手が得られた。【００１５】  次に本発明によるメモクリップの第２実施例を図５と図６において説明するが、前述の第１実施例との違いは、パーツＢ（３）の台座部（３ａ）の形状だけである。第１実施例における台座部（３ａ）の形状は、パーツＡ（２）の枠部（２ａ）から切除した略十字形と同じ形状としたが、第２実施例では、その一部を半円形に２箇所切除した形状とした。
第２実施例は上記のようなパーツＡ（２）およびパーツＢ（３）からなり、使用方法は第１実施例と同様である。すなわち、パーツＡ（２）の台座受け部（２ｃ）にパーツＢ（３）の台座部（３ａ）をジグソーパズルのようにはめ込み、磁着挟持部（２ｂ）の先端部分とスチール面（４）の間に突出片（３ｂ）が介在する状態で、パーツＡ（２）とパーツＢ（３）をスチール面（４）に磁着させて使用する。
このように、本発明によるメモクリップの台座部（３ａ）の形状は、枠部（２ａ）から切除した形状と同じでなくても、台座受け部（２ｃ）にはめ込むことができる形状であれば問題なく機能する。【００１６】  次に本発明によるメモクリップの第３実施例を図７と図８において説明するが、前述の第１実施例との違いは、パーツＡ（２）の台座受け部（２ｃ）の形状と、パーツＢ（３）の台座部（３ａ）の形状である。
第１実施例では、枠部（２ａ）を略十字形に切除することによって台座受け部（２ｃ）を形成し、切除した略十字形は枠部（２ａ）の輪郭（２ｄ）まで達している。一方、第３実施例における台座受け部（２ｃ）は、略楕円形の上部に略台形を連接した形状を枠部（２ａ）から切除することによって形成されているが、切除された部分は枠部（２ａ）の輪郭（２ｄ）には達していない。
また第３実施例では、パーツＢ（３）の台座部（３ａ）の形状を、枠部（２ａ）から切除した形状と同じ形状とした。
第３実施例は上記のようなパーツＡ（２）およびパーツＢ（３）からなるが、その機能および使用方法は第１実施例および第２実施例と同じである。【００１７】  次に本発明によるメモクリップの第４実施例を図９と図１０において説明するが、前述の第１実施例との違いは、パーツＡ（２）の台座受け部（２ｃ）の形状と、パーツＢ（３）の台座部（３ａ）の形状である。
第１実施例では、枠部（２ａ）を略十字形に切除することによって台座受け部（２ｃ）を形成し、切除した略十字形は枠部（２ａ）の輪郭（２ｄ）まで達している。一方、第４実施例における台座受け部（２ｃ）は、粋部（２ａ）を略台形に切除することによって形成され、切除した略台形は第１実施例と同様に枠部（２ａ）の輪郭（２ｄ）まで達している。
また、第４実施例では、パーツＢ（３）の台座部（３ａ）の形状を、枠部（２ａ）から切除した形状と同じ形状とした。
第４実施例は上記のようなパーツＡ（２）およびパーツＢ（３）からなり、その機能および使用方法は第１実施例、第２実施例、および第３実施例と同じである。【００１８】  以上に述べた第４実施例の場合、使用するマグネットシートに充分な磁力がある場合は問題なく機能する。しかし、使用するマグネットシートの磁力が弱い場合、台座受け部（２ｃ）と台座部（３ａ）の形状が第４実施例のような組み合わせであるのは、あまり望ましくない。
なぜなら第４実施例の場合は、台座受け部（２ｃ）が枠部（２ａ）の輪郭（２ｄ）まで達し、なおかつ台座受け部（２ｃ）と台座部（３ａ）との接線が直線であるため、使用したマグネットシートの磁力が弱いためにスチール面上を滑った場合、パーツＡ（２）とパーツＢ（３）が分離してしまうからである。
一方、台座受け部（２ｃ）と台座部（３ａ）が第１実施例、第２実施例、第３実施例のような形状であれば、台座受け部（２ｃ）と台座部（３ａ）はジグソーパズルのようにしっかり噛み合わさるため、仮にスチール面上を滑ったとしても、パーツＡ（２）とパーツＢ（３）が分離することはない。【００１９】  次に本発明によるメモクリップの第５実施例を図１１と図１２において説明する。
この第５実施例では、マグネットシート（１）の表面に合成樹脂フィルムや紙（図示せず）等を貼着し、該合成樹脂フィルムや紙等に、イラスト（７）や企業のロゴ・マーク（８）、メモなどを差し込む方向を示す文字や図形（９）を印刷している。
第５実施例では、このイラスト（７）を含む外形がパーツＡ（２）の枠部（２ａ）の輪郭（２ｄ）であり、図１１に示した通り、１枚のマグネットシート（１）中にパーツＡ（２）とパーツＢ（３）を配置し、それらの輪郭（２ｄ、３ｃ）におけるマグネットシート（１）の厚みの僅少部分を残して切断するビク抜き加工を施している。このビク抜き加工により、パーツＡ（２）とパーツＢ（３）からなるメモクリップを１枚のマグネットシート（１）から誰でも簡単に手で抜き取ることができるものである。
なお、この第５実施例においては、磁着挟持部（２ｂ）の形状を略菱形としたが、パーツＡ（２）の台座受け部（２ｃ）、およびパーツＢ（３）の台座部（３ａ）の形状は、第１実施例と同じとした。また、機能や使い方も第１実施例と同じである。【００２０】  次に本発明によるメモクリップの第６実施例を図１３において説明する。図１３は、本発明の第１実施例によるメモクリップのパーツＡ（２）とパーツＢ（３）を型抜き形成した後で、パーツＡ（２）の台座受け部（２ｃ）にパーツＢ（３）の台座部（３ａ）をはめ込み、その状態で、それらが分離しないよう着磁面に粘着テープ（１０）を貼着したものを着磁面から見た背面図である。
以上のような方法で、パーツＡ（２）とパーツＢ（３）を一体化して利用者に提供すれば、パーツＡ（２）とパーツＢ（３）の組み合わせ方を示す説明書や包装を省くこともできる。この時、薄手の粘着テープ（１０）を使用すれば、マグネットシートの磁力は粘着テープ（１０）を介してスチール面に（４）及ぶので、利用者は粘着テープ（１０）が貼られた状態のまま、このメモクリップをスチール面（４）に磁着させて使用することができる。
【符号の説明】
【００２１】１  マグネットシート        ２  パーツＡ            ２ａ  枠部
２ｂ  磁着挟持部            ２ｃ  台座受け部        ２ｄ  輪郭
３  パーツＢ                ３ａ  台座部            ３ｂ  突出片
３ｃ  輪郭                  ４  スチール面          ５  挿入口
６  紙片                    ７  イラスト            ８  ロゴ・マーク
９  文字や図形              １０  粘着テープ
【図１】
0005437900.tif 000002
【図２】
0005437900.tif 000003
【図３】
0005437900.tif 000004
【図４】
0005437900.tif 000005
【図５】
0005437900.tif 000006
【図６】
0005437900.tif 000007
【図７】
0005437900.tif 000008
【図８】
0005437900.tif 000009
【図９】
0005437900.tif 000010
【図１０】
0005437900.tif 000011
【図１１】
0005437900.tif 000012
【図１２】
0005437900.tif 000013
【図１３】
0005437900.tif 000014